(57)【要約】      （修正有）【課題】木造軸組を簡易加工し在庫する。鉄筋と木材の組合せにより、一体化し結合部の緊結が高耐震性を増進し、加工組立を簡易し、外部足場上の作業をなくし、組立が簡易と安全性が作業能率を高めローコストを可能にする。【解決手段】木造軸組の墨付け作業を省き、簡易加工により部材を弱めず、規格加工の軸組部材を在庫し、平坦な作業場等で、軸組に規格ネジ切り異形鉄筋及びフラットバーを極微木粉混合フェノール樹脂を、塗布し嵌め込み、タンバックル高ナットで締め付け組み立てる。鉄筋と軸組が接着とナットの緊結で一体化し高耐震建築となる。平地で外壁仕上げまですることは、安全性が高く高能率となる。鉄筋と木材の組合せが、高耐震性とローコストを実現した鉄筋木造建築。【選択図】  図１
2005336979.tif 000002
【特許請求の範囲】
【請求項１】
一棟毎の墨付け作業を省き、木造軸組の規格簡易加工で、部材を弱めなく、軸組部材を在庫する、作業場等で軸組部材に、規格ネジ切りの異形鉄筋及び、フラットバーを、極微木粉混合フェノール樹脂を塗布、嵌め込み、タンバックル高ナットとナットで締め付け組立る、鉄筋と軸組が、接着とナット締めで一体化し、高耐震建築となる。ボールト締めの単純作業で外壁仕上げまでして現場搬入、各スパンを組建ての、外足場不要の鉄筋木造建築。
【発明の詳細な説明】
【技術分野】
【０００１】本発明は、鉄筋と木材の組み合わせによる木構造建築に関するものである。
【背景技術】
【０００２】従来の木構造建築は、一棟毎に建築技能者が図面にもとずき墨付けをして加工をする。（プレカット加工もある。）加工が終われば現場に搬入し、組立棟上げをする。外部作業足場を設け、接合部を金物で補強するが耐震上十分な補強とは言えない。足場上の作業は、危険性が高く作業能率が悪い。【０００３】従来の一棟毎の墨付け加工では、加工部材の在庫が出来ない、又加工場等で組立てをして、外壁仕上げまでする事が出来ない。
【発明の開示】
【発明が解決しようとする課題】
【０００４】解決しようとする問題点は、木造軸組を加工して、在庫する事が出来ない。工期短縮や、耐震性をより高める事と、足場上の危険性の高い作業は排除して、平坦な作業場にて外壁仕上げまでする事で、安全性を高める点である。
【課題を解決するための手段】
【０００５】本発明は、鉄筋と木構造の組み合わせで、木造軸組を簡易加工で在庫し、鉄筋の両端を雄ネジを設け、高ナットで接合組立てと、外壁仕上げまで加工場作業にする、引っ張り力を鉄筋に、圧縮力を木材に負担の鉄筋木造建築で、特に高耐震性となる。又作業上の安全性と、工期短縮によるローコストを特徴とするものである。
【発明の効果】
【０００６】本発明の鉄筋と木材の組み合わせは、木構造の規格寸法と、簡易加工による構造部材の欠き損を少なくすることで部材を弱めない、又加工費も安く、加工部材の在庫が出来る。平坦な作業場等で一階のワンスパン、二階のワンスパンとそれぞれの外壁仕上げまで出来る事は、足場上の作業に比べ安全性と作業能率が良いのがコストダウンになる。接合部が鉄筋により、緊結接合が出来る事は、高耐震構造体となる利点がある。
【発明を実施するための最良の形態】
【０００７】鉄筋を木材に組みいれることで、接合部の緊結が出来ることが、耐震性を高めると共に、簡易加工による接合部の、部材強度を弱めることなく、作業場にてワンスパン毎、構造部材の組立から外壁仕上げが出来ることが、足場上の作業に比べ、安全性と共に作業能率も良く、天候にも左右されないことが、コストダウンを実現した。
【実施例１】
【０００８】図１は、本発明木構造軸組の組み方の斜視図であつて、長方形鋼板（ＫＰＷ）に穴二個を設けたプレートを餅網状に溶接合の基礎異形鉄筋（ＫＴ）の所定位置に溶接合する。その長方形鋼板の両端に異形鉄筋の両端にフックを設けた（ＫＡＴ）を溶接合し、その周辺を発泡スチロール（ＫＮａ）で包む。一端に雄ネジを設け、他端にフックを設けた、角アンカーボールト（ＫＡＢ）を所定位置に設置し、高ナット（ＴＮ）をねじ込み高ナット部を発泡スチロールで包み、型枠を組み、生コンクリートを打設する。コンクリート硬化後型枠をばらし、発泡スチロールを撤去する。【０００９】規格寸法と丸穴加工の土台（Ｄ１）にボールト穴（Ｄ１ａ）を設けた土台。、規格寸法と丸ほぞ加工の木管柱（Ｈ）にシャクリ溝（Ｔ１ｓ）を二面と角柱四面それぞれ設ける。異形鉄筋の一端に右雄ネジを設け、他端を左雄ネジを設けた異形鉄筋（Ｔ１）を柱（Ｈ）のシャクリ溝に極微粉木粉混合フェノール樹脂で接着の一階柱（Ｈ）、規格寸法と丸ほぞ加工に溝シャクリ（Ｔ１ｓ）に、異形鉄筋の両端に右雄ネジを設け、一端ネジ先を四角（ＫＮ）に加工の異形鉄筋（Ｔ２）を嵌め込みの二階柱（Ｈ）。【００１０】規格寸法と丸穴加工の胴差（Ｄ２）に溝（Ｆ１ｓ）とボールト穴（ＴＴＮａ）を上場より６５ｍｍ深さの３０ｍｍφ、それより下場迄１１ｍｍφの穴（Ｔ１ａ）を設けた下胴差（Ｄ２）に右雌ネジを半分、左雌ネジ半分設けた、タンバックル高ナット（ＴＴＮ）を差し込む、所定寸法穴加工のフラットバー（Ｆ１）を溝（Ｆ１ｓ）に嵌め込む。【００１１】規格寸法と丸穴加工の胴差（Ｄ３）に下場より２５ｍｍ深さの３０ｍｍφ、それより上場迄１１ｍｍφのボールト穴を設けた上胴差（Ｄ３）。規格寸法と丸穴加工とボールト穴を設けた梁及び桁（ＫＨ）で、これらを組みナット締め付けでワンスパンずつの木構造が組み上がる。【００１２】帯鋼（フラットバー）の先端を斜め切断したプレート（ＢＴＰ）の一端に穴を設け、斜め切断部を異形鉄筋（Ｔ１）（Ｔ２）の上下に溶接合する。フラットバーの中央に座堀穴（Ｍａ）を設け、コの字に曲げ加工の木筋違固定金物（ＢＭＢ）、座堀形ナット（ＭＮ）、両端に雄ネジを設け両先端をＬ型に曲げたボールト（ＢＴ）。木柱二つ割り筋違（ＭＢ）。鋼材と木材の組み合わせの、一方向で地震時の圧縮力と引っ張り力を負担する筋違である。【００１３】上記一階軸組部材を組み立てるには、平な組立台で規格加工土台（Ｄ１）の丸穴とボールト穴（Ｔ１ａ）に規格加工柱（Ｈ）のボールト部を差し込み、丸ホゾを丸穴に入れて、ワッシャー（Ｗ）を差し込みナット（ＴＮ）で締める。次に規格加工の胴差（Ｄ２）の穴（Ｔ１ａ）に異形鉄筋（Ｔ１）を差し込み、丸ホゾを丸穴に差し込み、タンバックル高ナット（ＴＴＮ）にアイボールト（ＡＢ）で締め付け、順次組み上げ一階の各スパンを組み上げる。
次に規格加工の胴差（Ｄ３）のボールト穴（Ｔ２ａ）に差し込み、柱（Ｈ）の丸ホゾを差し込み丸ワッシャーを入れナットで締め付ける。次に桁（ＫＨ）のシャクリ溝（Ｆ１ｓ）に規格寸法の穴加工のフラットバー（Ｆ１）を嵌め込み、異形鉄筋（Ｔ２）を差し込み、吊り上げ用アイナット（ＡＮ）で締め付ける。こうして順次軸組を組み上げる。筋違はプレート（ＢＴＰ）の穴に（ＢＴ）を差し込みタンバックルで締め付け、木製筋違（ＭＢ）を入れ固定金物（ＢＭＢ）を嵌め込み、皿ナットで締め付け固定する。【００１４】規格の間柱枠を嵌め込み、構造用合板張りをして、防水シートを張り開口部にサッシ枠を取付け、防水シートを張り外壁のサイディングを張って、コーキングをすれば一階のワンスパンが仕上がる。所要の各スパンを仕上げる。【００１５】所要壁面各スパンが完了すれば、現場にトラックで搬入し、クレーン車にて各アイボールトにワイヤをかけて、吊り上げ組み立てる。柱脚下部のボールトを（ＫＰＷ）の穴（Ｔ１ａ）に差し込み二重ナット（Ｎ２）で締め付ける。鉄筋コンクリート基礎には、柱脚下部は予めナットの締め付けが出来るように発泡スチロールで空洞部を設けてある、建て込み後ナット締め付けて完了、モルタル充填をする。
基礎外角部二カ所高ナット（ＴＮ）を鉄筋（Ｔ１）にねじ込み上げ固定する、土台内部高ナット欠き込み穴（Ｄｋ）で高ナットをねじ上げ締め付け固定する。一階の各所要スパンの固定が終われば、アイボールトを外す。二階スパンをクレーン車で各アイナットにワイヤを掛け、吊り上げて、所定の位置に下げて、アイナットを外し、フェノール樹脂を（Ｔ２ａ）に流し込みボールト（Ｔ２）の先端（ＫＮ）をスパナでネジ下げ胴差（Ｄ３）の穴（Ｋａ）でボールト位置を確認しながら締め付け固定する。順次建て込む。【００１６】内外の壁面の建て込が終われば、規格寸法の一階床パネル敷き込み固定する、二階床は内部の一部に床受け軽量ミゾ形鋼をボールト締めの上に規格寸法の床パネルを敷き込み固定する。次に規格寸法の屋根パネルを取付固定して、ルーヒングを敷きコロニアル葺きをして、完了する。
【図面の簡単な説明】
【００１７】
【図１】軸組組立実施方法を示した斜視図である。
【図２】角部の基礎、土台、柱、胴差、桁の鉄筋とタンバックル高ナット接合断面、と角部の基礎、土台、胴差、桁、の平面図である。
【図３】土台、柱、胴差、桁、の断面図である。
【図４】基礎、土台、胴差、桁の断面図と、その鉄筋と高ナット、筋違接合図である
【図５】軸組建て込み内側正面図である。
【図６】平成１３年８月３０日  特願２００１−３０８０３６の試行棟参考写真である。
【符号の説明】
【００１８】ＡＢ        アンカーボールト
ＢＭＢ      木製筋違固定金物
ＢＰ        筋違固定プレート
ＢＴ        ブレース鉄筋
ＢＴＰ      筋違プレート
Ｄ１        土台
Ｄｋ        土台欠き取り部
Ｄ２        下胴差
Ｄ３        上胴差
Ｆ１        接合フラットバー
Ｈ          柱
Ｋ          基礎
Ｋａ        基礎高ナットネジ穴
ＫＡＴ      基礎アンカー鉄筋
ＫＨ        桁、梁
ＫＴ        基礎鉄筋
ＫＮａ      基礎空洞部
ＫＰ        基礎合成ゴムパッキン
ＫＰＷ      基礎プレートワッシャー
Ｍ          間柱
Ｍａ        丸穴
ＭＢ        木製筋違
ＭＨ        丸ホゾ
ＭＷ        丸ワッシャー
ＭＮ        皿ナット
Ｎ          ナット
ＮＮ        二重ナット
Ｔ１        一端右雄ネジ他端左雄ネジを設けた異形鉄筋
Ｔ１ａ      Ｔ１鉄筋穴
Ｔ２        両端雄ネジ切りの異形鉄筋
Ｔ２ａ      Ｔ２鉄筋穴
ＴＮ        高ナット
ＴＴａ      タンバックル高ナット穴
ＴＴＮ      左雄ネジ１／２右雄ネジ１／２のタンバックル高ナット
Ｗ          座金
【図１】
2005336979.tif 000003
【図２】
2005336979.tif 000004
【図３】
2005336979.tif 000005
【図４】
2005336979.tif 000006
【図５】
2005336979.tif 000007
【図６】
2005336979.tif 000008